(57)【要約】【課題】非接触型生体センサを用いて心拍等の生体信号を簡易かつ精度良く解析し、心拍不整や異常呼吸の定量的な評価を支援することが可能な生体信号解析装置等を提供する。【解決手段】生体信号解析装置４は、生体センサ２から得られる電気信号に基づくデジタル信号を入力し（ステップＳ１）、デジタル信号に対してフィルタ処理を行い、心拍信号を抽出し（ステップＳ２）、心拍信号に対してノイズ低減処理を行い、解析用心拍信号を生成し（ステップＳ３）、解析用心拍信号に対してフーリエ変換を行い、心拍パワースペクトルを生成し（ステップＳ４）、心拍パワースペクトルのピークに基づいて、心拍数を算出する（ステップＳ５）。【選択図】図１
2018011948.tif 000002
【特許請求の範囲】
【請求項１】
生体センサから得られる電気信号に基づくデジタル信号を入力する信号入力手段と、
前記デジタル信号に対してフィルタ処理を行い、心拍信号を抽出する心拍信号抽出手段と、
前記心拍信号に対してノイズ低減処理を行い、解析用心拍信号を生成する第１ノイズ低減手段と、
前記解析用心拍信号に対してフーリエ変換を行い、心拍パワースペクトルを生成する第１パワースペクトル生成手段と、
前記心拍パワースペクトルのピークに基づいて、心拍数を算出する心拍数算出手段と、
を備えることを特徴とする生体信号解析装置。
【請求項２】
前記心拍パワースペクトルに基づいて、心拍の規則性を評価する指標である心拍規則性指標を算出する第１指標算出手段、
を更に備えることを特徴とする請求項１に記載の生体信号解析装置。
【請求項３】
前記第１指標算出手段は、前記心拍パワースペクトルの尖度又は前記心拍パワースペクトルのピーク周波数における相対的振幅を前記心拍規則性指標として算出する
ことを特徴とする請求項２に記載の生体信号解析装置。
【請求項４】
前記第１ノイズ低減手段は、第１の所定時間間隔で前記心拍信号の分散値又は包絡線を算出し、前記分散値又は前記包絡線の対数値の波形から、前記第１の所定時間間隔よりも長い第２の所定時間間隔ごとの移動平均値を差し引いた波形を、前記解析用心拍信号とする
ことを特徴とする請求項１乃至請求項３のいずれかに記載の生体信号解析装置。
【請求項５】
前記心拍パワースペクトルの一部の周波数帯に対して逆フーリエ変換を行い、心拍のゆらぎを示す波形を生成する波形生成手段、
を更に備えることを特徴とする請求項１乃至請求項４のいずれかに記載の生体信号解析装置。
【請求項６】
前記デジタル信号に対してフィルタ処理を行い、呼吸信号を抽出する呼吸信号抽出手段と、
前記呼吸信号に対してノイズ低減処理を行い、解析用呼吸信号を生成する第２ノイズ低減手段と、
前記解析用呼吸信号に対してフーリエ変換を行い、呼吸パワースペクトルを生成する第２パワースペクトル生成手段と、
前記呼吸パワースペクトルのピークに基づいて、呼吸数を算出する呼吸数算出手段と、
を更に備えることを特徴とする請求項１乃至請求項５のいずれかに記載の生体信号解析装置。
【請求項７】
前記呼吸パワースペクトルに基づいて、呼吸安定性を評価する指標である呼吸安定性指標を算出する第２指標算出手段、
を更に備えることを特徴とする請求項６に記載の生体信号解析装置。
【請求項８】
前記呼吸信号の包絡線を算出し、前記包絡線に基づく波形から低呼吸及び無呼吸を検出するとともに、見かけの低呼吸・無呼吸指標を算出する第３指標算出手段、
を更に備えることを特徴とする請求項６又は請求項７に記載の生体信号解析装置。
【請求項９】
コンピュータが、
生体センサから得られる電気信号に基づくデジタル信号を入力する信号入力ステップと、
前記デジタル信号に対してフィルタ処理を行い、心拍信号を抽出する心拍信号抽出ステップと、
前記心拍信号に対してノイズ低減処理を行い、解析用心拍信号を生成する第１ノイズ低減ステップと、
前記解析用心拍信号に対してフーリエ変換を行い、心拍パワースペクトルを生成する第１パワースペクトル生成ステップと、
前記心拍パワースペクトルのピークに基づいて、心拍数を算出する心拍数算出ステップと、
を実行することを特徴とする生体信号解析方法。
【請求項１０】
振動伝達板と、前記振動伝達板に接着された圧電フィルムを含む生体センサと、
前記生体センサから得られる電気信号に基づくデジタル信号を入力する信号入力手段と、前記デジタル信号に対してフィルタ処理を行い、心拍信号を抽出する心拍信号抽出手段と、前記心拍信号に対してノイズ低減処理を行い、解析用心拍信号を生成する第１ノイズ低減手段と、前記解析用心拍信号に対してフーリエ変換を行い、心拍パワースペクトルを生成する第１パワースペクトル生成手段と、前記心拍パワースペクトルのピークに基づいて、心拍数を算出する心拍数算出手段と、を備える生体信号解析装置と、
を含むことを特徴とする生体信号解析システム。
【請求項１１】
前記振動伝達板は、前記圧電フィルムよりも弾性率が高いことを特徴とする請求項１０に記載の生体信号解析システム。
【請求項１２】
前記圧電フィルムは、ポリフッ化ビニリデン製であることを特徴とする請求項１０に記載の生体信号解析システム。
【請求項１３】
前記振動伝達板は、ポリカーボネート製であることを特徴とする請求項１０又は請求項１２に記載の生体信号解析システム。
【請求項１４】
前記生体信号解析装置は、前記心拍パワースペクトルに基づいて、心拍の規則性を評価する指標である心拍規則性指標を算出する第１指標算出手段、を更に備える
ことを特徴とする請求項１０乃至請求項１３のいずれかに記載の生体信号解析システム。
【請求項１５】
前記第１指標算出手段は、前記心拍パワースペクトルの尖度又は前記心拍パワースペクトルのピーク周波数における相対的振幅を前記心拍規則性指標として算出する
ことを特徴とする請求項１４に記載の生体信号解析システム。
【請求項１６】
前記第１ノイズ低減手段は、第１の所定時間間隔で前記心拍信号の分散値又は包絡線を算出し、前記分散値又は前記包絡線の対数値の波形から、前記第１の所定時間間隔よりも長い第２の所定時間間隔ごとの移動平均値を差し引いた波形を、前記解析用心拍信号とする
ことを特徴とする請求項１０乃至請求項１５のいずれかに記載の生体信号解析システム。
【請求項１７】
前記生体信号解析装置は、前記心拍パワースペクトルの一部の周波数帯に対して逆フーリエ変換を行い、心拍のゆらぎを示す波形を生成する波形生成手段、を更に備える
ことを特徴とする請求項１０乃至請求項１６のいずれかに記載の生体信号解析システム。
【請求項１８】
前記生体信号解析装置は、前記デジタル信号に対してフィルタ処理を行い、呼吸信号を抽出する呼吸信号抽出手段と、前記呼吸信号に対してノイズ低減処理を行い、解析用呼吸信号を生成する第２ノイズ低減手段と、前記解析用呼吸信号に対してフーリエ変換を行い、呼吸パワースペクトルを生成する第２パワースペクトル生成手段と、前記呼吸パワースペクトルのピークに基づいて、呼吸数を算出する呼吸数算出手段と、を更に備える
ことを特徴とする請求項１０乃至請求項１７のいずれかに記載の生体信号解析システム。
【請求項１９】
前記生体信号解析装置は、前記呼吸パワースペクトルに基づいて、呼吸安定性を評価する指標である呼吸安定性指標を算出する第２指標算出手段、を更に備える
ことを特徴とする請求項１８に記載の生体信号解析システム。
【請求項２０】
前記生体信号解析装置は、前記呼吸信号の包絡線を算出し、前記包絡線に基づく波形から低呼吸及び無呼吸を検出するとともに、見かけの低呼吸・無呼吸指標を算出する第３指標算出手段、を更に備える
ことを特徴とする請求項１８又は請求項１９に記載の生体信号解析システム。
【発明の詳細な説明】
【技術分野】
【０００１】
本発明は、生体センサを用いて心拍等の生体信号を解析する生体信号解析装置等に関するものである。
【背景技術】
【０００２】
心拍リズムが一過性あるいは継続して不規則になる状態を不整脈といい、治療の必要のないものから、突然死の引き金になるものまで、さまざまな不整脈がある。なかでも、心房細動は慢性の不整脈の中では最も頻度が高く、高齢化の進展とともに、近年その罹患患者数が増加している。７０歳代の５％、８０歳代の１０％程度が心房細動に罹患し、国内での罹患者は約１３０万人にのぼるという。心房細動は、心房が１分間に４５０〜６００回もの高い頻度で不規則に興奮し、それが心室へ無秩序に伝わるために、心室興奮が不規則になる不整脈である。心房細動は、心臓の拍動が不規則になるだけでなく、この疾患は脳梗塞のリスクを上げることが最も警戒されており、その予防や治療は臨床上重要な課題となっている。
【０００３】
一方、睡眠中に１０秒以上の無呼吸が繰り返し起こる状態は、睡眠時無呼吸症候群（ＳＡＳ：Sleep  Apnea  Syndrome）として知られており、日本における潜在患者数は２５０万人にのぼるとされている。近年、ＳＡＳや居眠り運転が原因の交通事故がマスコミ等でも多く取り上げられており社会的関心を集めている。ＳＡＳには、しばしば睡眠中の不整脈が併発する。洞停止、房室伝導障害などの徐脈性不整脈や、心房細動、心室性期外収縮、非持続性心室頻拍が多くみられ、これらの不整脈はＳＡＳの重症度に依存してその頻度が増加すると言われている。
【０００４】
睡眠呼吸障害に併発した不整脈に対するＳＡＳ治療の効果を評価した大規模な臨床試験は報告されていないものの、これまでの多くの研究の結果から、ＳＡＳの治療が夜間睡眠中の不整脈に対しても有用である可能性が示されている。一方、不整脈治療がＳＡＳに及ぼす効果についての定量的な評価は行われていない。
【０００５】
不整脈の確定診断は心電図によらざるを得ない。従って、慢性かつ継続的な不整脈では医療機関受診時の心電図検査にて即座に診断されるが、一過性不整脈の場合２４時間心電計など、持続的なモニターが必要となる。心房細動の約４０％は無症候性であり、他の疾患で医療機関を受診した際や健診時に偶然発見される場合が多い。一方、ＳＡＳの確定診断はポリソムノグラフィー検査が一般的であるが、装置そのものが大がかりという欠点がある。心拍リズム及び呼吸リズムの異常について、早期発見のための簡易かつ信頼しうる検出手段が待たれている。
【０００６】
本願の発明者らは、接触型生体センサを用いて生体信号を測定する装置や方法を考案している（特許文献１及び２）。これらは、医療従事者等の被験者以外の人間によって測定の準備が行われることが想定されている。一方、介護や在宅医療の現場では、被験者が普段の生活の活動様式を維持しつつ、無拘束かつ非接触により測定することが望まれている。そのため、非接触型生体センサを用いて生体信号を測定する方法の研究が行われている。
【０００７】
近年、いくつかの方法が開発され、介護や在宅医療の現場における高齢者の見守りや離床確認に利用されつつある。非接触型生体センサとしては、現在までに、電波型非接触生体センサ、静電容量型フィルム状近接センサ、赤外半導体レーザを用いたセンサ、圧電素子センサ等が報告されている。
【０００８】
電波型非接触性生体センサには、マイクロ波ドップラセンサやＶＨＦ帯を用いるものがあるが、いずれも心拍・心音の検出において圧電素子センサに劣る。静電容量型フィルム状近接センサは、床やベッドの裏に貼ったフィルム状のセンサにより、人の動きや呼吸を検出するが、心拍の検出能については未だ報告されていない。認知症患者の見守りシステムとして、赤外半導体レーザを利用した非接触・無拘束ベッド見守りシステムが市販されているが、体動及び離床検知に限られている。
【０００９】
圧電素子を利用したセンサは、ベッドの脚下に設置するものやマット下に設置するもの、ベッドの上に敷くマットセンサ等がある。特許文献３及び４には、呼吸センサにより呼吸運動を記録し、呼吸周期又は呼吸周波数の不安定性を示す指標（ＲＳＩ）を用いて、心不全の予後の予測又は心不全の重症度の定量的な評価を行う方法が記載されている。
【先行技術文献】
【特許文献】
【００１０】
【特許文献１】特許第５５０９４２２号公報
【特許文献２】特願２０１６−０５６５１２号公報
【特許文献３】特許第５６７９９７１号公報
【特許文献４】特開２０１４−２１００３４号公報
【発明の概要】
【発明が解決しようとする課題】
【００１１】
しかしながら、依然として、非接触型生体センサを用いて心拍等の生体信号を精度良く解析し、心拍不整や異常呼吸の定量的な評価を支援することが可能な装置や方法は開示されていない。
【００１２】
本発明は、前述した問題点に鑑みてなされたものであり、その目的とすることは、非接触型生体センサを用いて心拍等の生体信号を簡易かつ精度良く解析し、心拍不整や異常呼吸の定量的な評価を支援することが可能な生体信号解析装置等を提供することである。
【課題を解決するための手段】
【００１３】
前述した目的を達成するための第１の発明は、生体センサから得られる電気信号に基づくデジタル信号を入力する信号入力手段と、前記デジタル信号に対してフィルタ処理を行い、心拍信号を抽出する心拍信号抽出手段と、前記心拍信号に対してノイズ低減処理を行い、解析用心拍信号を生成する第１ノイズ低減手段と、前記解析用心拍信号に対してフーリエ変換を行い、心拍パワースペクトルを生成する第１パワースペクトル生成手段と、前記心拍パワースペクトルのピークに基づいて、心拍数を算出する心拍数算出手段と、を備えることを特徴とする生体信号解析装置である。第１の発明によって、心拍の生体信号を簡易かつ精度良く解析し、心拍不整の定量的な評価を支援することが可能となる。
【００１４】
第１の発明は、前記心拍パワースペクトルに基づいて、心拍の規則性を評価する指標である心拍規則性指標を算出する第１指標算出手段、を更に備えても良い。これによって、心拍規則性の評価を支援する情報を提供することができる。
【００１５】
第１の発明における前記第１指標算出手段は、前記心拍パワースペクトルの尖度又は前記心拍パワースペクトルのピーク周波数における相対的振幅を前記心拍規則性指標として算出するようにしても良い。これによって、精度良く心拍規則性を数値化できる。
【００１６】
前記第１ノイズ低減手段は、第１の所定時間間隔で前記心拍信号の分散値又は包絡線を算出し、前記分散値又は前記包絡線の対数値の波形から、前記第１の所定時間間隔よりも長い第２の所定時間間隔ごとの移動平均値を差し引いた波形を、前記解析用心拍信号とするようにしても良い。これによって、体動等に起因するアーチファクトの低減が可能となり、長時間連続して心拍のモニタリングを解析することができる。
【００１７】
第１の発明は、前記心拍パワースペクトルの一部の周波数帯に対して逆フーリエ変換を行い、心拍のゆらぎを示す波形を生成する波形生成手段、を更に備えるようにしても良い。これによって、心電図のデータを用いることなく、心拍のゆらぎ解析が可能となる。
【００１８】
第１の発明は、前記デジタル信号に対してフィルタ処理を行い、呼吸信号を抽出する呼吸信号抽出手段と、前記呼吸信号に対してノイズ低減処理を行い、解析用呼吸信号を生成する第２ノイズ低減手段と、前記解析用呼吸信号に対してフーリエ変換を行い、呼吸パワースペクトルを生成する第２パワースペクトル生成手段と、前記呼吸パワースペクトルのピークに基づいて、呼吸数を算出する呼吸数算出手段と、を更に備えるようにしても良い。これによって、呼吸運動の生体信号を簡易かつ精度良く解析し、異常呼吸の定量的な評価を支援することが可能となる。
【００１９】
第１の発明は、前記呼吸パワースペクトルに基づいて、呼吸安定性を評価する指標である呼吸安定性指標を算出する第２指標算出手段、を更に備えるようにしても良い。これによって、呼吸安定性の評価を支援する情報を提供することができる。
【００２０】
第１の発明は、前記呼吸信号の包絡線を算出し、前記包絡線に基づく波形から低呼吸及び無呼吸を検出するとともに、見かけの低呼吸・無呼吸指標を算出する第３指標算出手段、を更に備えるようにしても良い。これによって、低呼吸及び無呼吸の評価を支援する情報を提供することができる。
【００２１】
第２の発明は、コンピュータが、生体センサから得られる電気信号に基づくデジタル信号を入力する信号入力ステップと、前記デジタル信号に対してフィルタ処理を行い、心拍信号を抽出する心拍信号抽出ステップと、前記心拍信号に対してノイズ低減処理を行い、解析用心拍信号を生成する第１ノイズ低減ステップと、前記解析用心拍信号に対してフーリエ変換を行い、心拍パワースペクトルを生成する第１パワースペクトル生成ステップと、前記心拍パワースペクトルのピークに基づいて、心拍数を算出する心拍数算出ステップと、を実行することを特徴とする生体信号解析方法である。第２の発明によって、心拍の生体信号を簡易かつ精度良く解析し、心拍不整の定量的な評価を支援することが可能となる。
【００２２】
第３の発明は、振動伝達板と、前記振動伝達板に接着された圧電フィルムを含む生体センサと、前記生体センサから得られる電気信号に基づくデジタル信号を入力する信号入力手段と、前記デジタル信号に対してフィルタ処理を行い、心拍信号を抽出する心拍信号抽出手段と、前記心拍信号に対してノイズ低減処理を行い、解析用心拍信号を生成する第１ノイズ低減手段と、前記解析用心拍信号に対してフーリエ変換を行い、心拍パワースペクトルを生成する第１パワースペクトル生成手段と、前記心拍パワースペクトルのピークに基づいて、心拍数を算出する心拍数算出手段と、を備える生体信号解析装置と、を含むことを特徴とする生体信号解析システムである。第３の発明によって、心拍の生体信号を簡易かつ精度良く解析し、心拍不整の定量的な評価を支援することが可能となる。
【００２３】
第３の発明における前記振動伝達板は、前記圧電フィルムよりも弾性率が高くしても良い。これによって、圧電フィルムを高感度化することができる。
【００２４】
第３の発明における前記圧電フィルムは、ポリフッ化ビニリデン製にしても良い。これによって、圧電フィルムは、応答速度が早く、広い周波数特性を持つ。
【００２５】
第３の発明における前記振動伝達板は、ポリカーボネート製にしても良い。これによって、振動伝達板は、ポリフッ化ビニリデン製の圧電フィルムよりも弾性率が高くなり、圧電フィルムを高感度化することができる。
【００２６】
第３の発明における前記生体信号解析装置は、前記心拍パワースペクトルに基づいて、心拍の規則性を評価する指標である心拍規則性指標を算出する第１指標算出手段、を更に備えるようにしても良い。これによって、心拍規則性の評価を支援する情報を提供することができる。
【００２７】
第３の発明における前記第１指標算出手段は、前記心拍パワースペクトルの尖度又は前記心拍パワースペクトルのピーク周波数における相対的振幅を前記心拍規則性指標として算出するようにしても良い。これによって、精度良く心拍規則性を数値化できる。
【００２８】
第３の発明における前記第１ノイズ低減手段は、第１の所定時間間隔で前記心拍信号の分散値又は包絡線を算出し、前記分散値又は前記包絡線の対数値の波形から、前記第１の所定時間間隔よりも長い第２の所定時間間隔ごとの移動平均値を差し引いた波形を、前記解析用心拍信号とするようにしても良い。これによって、体動等に起因するアーチファクトの低減が可能となり、長時間連続して心拍のモニタリングを解析することができる。
【００２９】
第３の発明における前記生体信号解析装置は、前記心拍パワースペクトルの一部の周波数帯に対して逆フーリエ変換を行い、心拍のゆらぎを示す波形を生成する波形生成手段、を更に備えるようにしても良い。これによって、心電図のデータを用いることなく、心拍のゆらぎ解析が可能となる。
【００３０】
第３の発明における前記生体信号解析装置は、前記デジタル信号に対してフィルタ処理を行い、呼吸信号を抽出する呼吸信号抽出手段と、前記呼吸信号に対してノイズ低減処理を行い、解析用呼吸信号を生成する第２ノイズ低減手段と、前記解析用呼吸信号に対してフーリエ変換を行い、呼吸パワースペクトルを生成する第２パワースペクトル生成手段と、前記呼吸パワースペクトルのピークに基づいて、呼吸数を算出する呼吸数算出手段と、を更に備えるようにしても良い。これによって、呼吸運動の生体信号を簡易かつ精度良く解析し、異常呼吸の定量的な評価を支援することが可能となる。
【００３１】
第３の発明における前記生体信号解析装置は、前記呼吸パワースペクトルに基づいて、呼吸安定性を評価する指標である呼吸安定性指標を算出する第２指標算出手段、を更に備えるようにしても良い。これによって、呼吸安定性の評価を支援する情報を提供することができる。
【００３２】
第３の発明における前記生体信号解析装置は、前記呼吸信号の包絡線を算出し、前記包絡線に基づく波形から低呼吸及び無呼吸を検出するとともに、見かけの低呼吸・無呼吸指標を算出する第３指標算出手段、を更に備えるようにしても良い。これによって、低呼吸及び無呼吸の評価を支援する情報を提供することができる。
【発明の効果】
【００３３】
本発明により、非接触型生体センサを用いて心拍等の生体信号を簡易かつ精度良く解析し、心拍不整や異常呼吸の定量的な評価を支援することが可能な生体信号解析装置等を提供することができる。
【図面の簡単な説明】
【００３４】
【図１】生体信号解析システム１の概要を示す図
【図２】生体信号解析処理の概要を示す図
【図３】心拍信号解析処理の流れを示すフローチャート
【図４】心拍信号解析処理におけるフィルタ処理及びノイズ低減処理を説明する図
【図５】心拍パワースペクトルとノイズ低減処理の効果を説明する図
【図６】心拍周波数の計算に必要な時間を示す図
【図７】心音成分の数と振幅がパワースペクトルに及ぼす影響を説明する図
【図８】正常洞調律及び心房細動被験者の解析用心拍信号と心拍パワースペクトルを示す図
【図９】心拍規則性の評価を説明する図
【図１０】ＨＢＫｕｒｔ及びＨＢＲＰによる心拍規則性の評価を説明する図
【図１１】自律神経活動の評価を説明する図
【図１２】呼吸信号解析処理の流れを示すフローチャート
【図１３】呼吸信号解析処理におけるフィルタ処理及びノイズ低減処理を説明する図
【図１４】補正呼吸信号、ＣＳ呼吸波形及び補正呼吸信号＋ＣＳ呼吸波形とそれらのパワースペクトルを示す図
【図１５】解析用呼吸信号と呼吸パワースペクトルを示す図
【図１６】呼吸規則性の評価を説明する図
【図１７】ＲＫｕｒｔ及びＲＡＵＳＩを説明する図
【図１８】ＲＫｕｒｔ及びＲＡＵＳＩの算出結果を示す図
【図１９】無呼吸及び低呼吸の検出を示す図
【図２０】無呼吸閾値及び低呼吸閾値を説明する図
【図２１】生体センサの断面の模式図
【発明を実施するための形態】
【００３５】
以下図面に基づいて、本発明の実施形態を詳細に説明する。図１は、生体信号解析システム１の概要を示す図である。図１に示すように、本発明の実施形態における生体信号解析システム１は、臥床中の被験者の背面に設置される生体センサ２と、生体センサ２から得られる電気信号をデジタル信号として出力する生体信号出力装置３と、生体信号出力装置３からデジタル信号を入力し、生体信号を解析する生体信号解析装置４と、によって構成される。
【００３６】
生体センサ２は、例えば、圧電素子振動センサであり、この実施形態では、圧電効果を有するポリフッ化ビニリデン（ＰＶＤＦ：PolyVinylidene DiFluoride）製フィルムを、厚さ１ｍｍ×縦２５ｃｍ×横３ｃｍのポリカーボネート製プレートに固定されたものを用いる。生体センサ２は、信号ケーブルを介して生体信号出力装置３と電気的に接続される。
【００３７】
生体センサ２はマットレス５１と床板５２の間に載置され、例えば、被験者がベッド５に仰向けの状態で寝ることによって、生体センサ２は臥床中の被験者の背面に非接触の状態で設置される。被験者は、うつ伏せや横向きの状態で寝ても良く、生体センサ２が被験者の正面や側面に非接触の状態で設置されても、被験者の生体信号を取得することができる。また、生体センサ２はマットレス５１の上に設置されても良く、生体センサ２とマットレス５１との上下関係は問わない。いずれの場合も、被験者と生体センサ２は非接触の状態で測定されるため、被験者が普段の睡眠様式と変わらない状態で測定可能である。
【００３８】
生体信号出力装置３は、生体センサ２から得られる電気信号に帯域制限をかけるフィルタ部３１と、フィルタ部３１を通過する電気信号をデジタル信号に変換するＡＤ変換部３２と、デジタル信号を外部に出力する信号出力部３３と、を備える。フィルタ部３１は、１００〜５００Ｈｚの範囲内の周波数を遮断周波数とする低域通過フィルタ（ＬＰＦ：Low Pass Filter）である。ＡＤ変換部３２は、２００〜１０００Ｈｚの範囲内の周波数をサンプリング周波数とするＡＤ変換を行う。信号出力部３３は、無線又は有線によって生体信号解析装置４とデータ送受信可能に接続される。
【００３９】
生体信号解析装置４は、生体信号出力装置３から出力されるデジタル信号を入力する入力部４１と、生体信号解析装置４全体を制御するとともに、デジタル信号の信号処理や解析処理を行う制御部４２と、プログラムやデータを記憶する記憶部４３と、データを表示する表示部４４と、データを外部に出力する出力部４５と、を備える。
【００４０】
生体信号解析装置４は、例えば、ＰＣ（Personal Computer）やサーバである。制御部４２は、例えば、信号処理専用のプロセッサであるＤＳＰ（Digital Signal Processor）と、信号処理以外の処理を実行し、各部を制御するＣＰＵ（Central Processing Unit）と、によって構成される。記憶部４３は、フラッシュメモリやＨＤＤ（Hard Disk Drive）等であり、予め制御部４２による処理を実行するためのプログラムやデータを記憶する。表示部４４は、液晶ディスプレイ等である。出力部４５は、無線ＬＡＮ（Local Area Network）、有線ＬＡＮ、Bluetooth（登録商標）通信、インターネット等を介して他のコンピュータとのデータの送受信を行う通信手段を備える。
【００４１】
生体信号解析装置４は、ベッド５の脇に設置されても良いし、遠隔に設置されても良い。遠隔に設置される場合、生体信号出力装置３と生体信号解析装置４は、インターネット等を介してデータの送受信を行う。
【００４２】
図２は、生体信号解析処理の概要を示す図である。生体信号解析処理は、生体信号解析装置４の制御部４２によって実行される。図２に示すように、生体信号解析装置４の制御部４２は、生体信号出力装置３から得られる原波形に対して、フィルタ処理、ノイズ処理、波形分離等の波形処理を行い、主に体動に関する周波数帯の波形を示す信号（以下、「体動信号」と表記する。）、主に心臓の拍動に関する周波数帯の波形を示す信号（以下、「心拍信号」と表記する。）、主に呼吸運動に関する周波数帯の波形を示す信号（以下、「呼吸信号」と表記する。）に分離する。分離された各信号は、生体信号解析装置４の記憶部４３に記憶される。
【００４３】
制御部４２は、体動信号に基づいて体動解析を行い、体動や寝返りの回数を算出するとともに、離床やいびきの有無等を検出し、表示部４４に結果を表示する。また、生体信号解析装置４は、心拍信号に基づいて、スペクトル解析、継時解析、自己相関分析等の時系列解析を行い、心拍安定性、不整脈、自律神経機能等の評価を支援する情報を算出し、表示部４４に結果を表示する（＝心拍信号解析処理）。同様に、制御部４２は、呼吸信号に基づいて時系列解析を行い、呼吸安定性等の評価を支援する情報を算出するとともに、無呼吸の有無等を検出し、表示部４４に結果を表示する（＝呼吸信号解析処理）。以下では、心拍信号解析処理及び呼吸信号解析処理の詳細について説明する。
【００４４】
図３は、心拍信号解析処理の流れを示すフローチャートである。生体信号解析装置４の入力部４１は、生体センサ２から得られる電気信号に基づくデジタル信号を入力する（ステップＳ１）。生体信号解析装置４の制御部４２は、ステップＳ１において入力されるデジタル信号に対してフィルタ処理を行い、心拍信号を抽出し（ステップＳ２）、ステップＳ２において抽出される心拍信号に対してノイズ低減処理を行い、解析に用いる心拍信号（以下、「解析用心拍信号」と表記する。）を生成する（ステップＳ３）。
【００４５】
図４は、心拍信号解析処理におけるフィルタ処理及びノイズ低減処理を説明する図である。図４（ａ）は第１の手法、図４（ｂ）は第２の手法に関する。第１の手法では、制御部４２は、原波形に対して、１５〜７０Ｈｚの範囲内の周波数を通過帯域とする帯域通過フィルタ（ＢＰＦ：Band Pass Filter）を用いてフィルタ処理を行い、心拍信号を抽出する。心拍信号の主要成分は、心室の収縮に伴う振動波形である。図４（ａ）に示す例では、制御部４２は、１５〜４０Ｈｚの周波数を通過帯域とする帯域通過フィルタを用いている。図４（ａ）の心拍信号（＝ＢＰＦ（１５−４０Ｈｚ）の波形）では、房室弁閉鎖に起因するI音と動脈弁閉鎖に起因するII音の心音成分を確認できる。
【００４６】
図４（ａ）の心拍信号（＝ＢＰＦ（１５−４０Ｈｚ）の波形）は、体動等に起因するノイズが含まれているため、そのままフーリエ変換を行っても心拍周波数に相当する周波数で鋭いピークを取るパワースペクトルを得ることができない。そこで、この実施形態では、制御部４２は、第１の所定時間間隔で分散値を算出し、その分散値の対数値の波形から、第１の所定時間間隔よりも長い第２の所定時間間隔ごとの移動平均値を差し引いた波形を、解析用心拍信号とする。第１の所定時間間隔は５０〜２００ｍｓの範囲、第２の所定時間間隔は１０００〜５０００ｍｓの範囲である。
【００４７】
図４（ａ）に示す例では、制御部４２は、１００ｍｓごとに分散値を算出し、その分散値の対数値の波形から、２０００ｍｓごとの移動平均値を差し引いた波形を、解析用心拍信号としている。
【００４８】
次に、第２の手法について説明する。図４（ｂ）に示す例では、制御部４２は、１５〜７０Ｈｚにカットオフ周波数を有する３つの帯域通過フィルタを用いている。図４（ｂ）に示す心拍信号の１つであるＢＰＦ（１５−３０Ｈｚ）の波形では、図４（ａ）の心拍信号と同様、房室弁閉鎖に起因するI音と動脈弁閉鎖に起因するII音の心音成分を確認できる。また、他の２つの心拍信号（＝ＢＰＦ（３０−７０Ｈｚ）及びＢＰＦ（２０−４５Ｈｚ）の波形）では呼吸に伴ういびき信号が混入している。制御部４２は、入力されるデジタル信号に対して所定のフィルタ処理を行い、フィルタ処理後の信号に対して分散値または包絡線を算出し、分散値または包絡線の対数値の所定時間間隔ごとの移動平均波形を、いびき信号とするようにしても良い。これによって、呼吸運動に伴って生じるいびきを解析することができる。
【００４９】
第２の手法では、制御部４２は、第１の所定時間間隔で心拍信号の包絡線を算出し、その包絡線の対数値の波形から、第１の所定時間間隔よりも長い第２の所定時間間隔ごとの移動平均値を差し引いた波形を、解析用心拍信号とする。包絡線とは、曲線群が与えられたときに、全ての曲線とどこかで接するような曲線のことである。包絡線は、例えば、ヒルベルト変換を用いて算出することができる。第１の所定時間間隔は５０〜２００ｍｓの範囲、第２の所定時間間隔は１０００〜５０００ｍｓの範囲である。
【００５０】
図４（ｂ）に示す例では、制御部４２は、１００ｍｓごとにＢＰＦ（１５−３０Ｈｚ）の波形の包絡線を算出し、その包絡線の対数値の波形から、２０００ｍｓごとの移動平均値を差し引いた波形を、解析用心拍信号としている。
【００５１】
図３の説明に戻る。制御部４２は、ステップＳ３において生成される解析用心拍信号に対してフーリエ変換を行い、心拍に関するパワースペクトル（以下、「心拍パワースペクトル」と表記する。）を生成し（ステップＳ４）、ステップＳ４において生成される心拍パワースペクトルのピークに基づいて、心拍数を算出する（ステップＳ５）。
【００５２】
図５は、心拍パワースペクトルとノイズ低減処理の効果を説明する図である。図５（ａ）は、第１の手法のノイズ低減処理による算出結果、図５（ｂ）は、第２の手法のノイズ低減処理による算出結果を示している。図５（ａ）及び図５（ｂ）の上段は比較的体動が少ない時間帯から得られたデータに対する処理結果、図５（ａ）及び図５（ｂ）の下段は測定中に体動等によるアーチファクトが混入したデータに対する処理結果を示している。図５（ａ）の左側の波形は、それぞれ、原波形、１５〜４０Ｈｚの周波数を通過帯域とする帯域通過フィルタによる処理結果（＝心拍信号）、１００ｍｓごとの分散値、分散値の対数、分散値の対数から２０００ｍｓ幅の移動平均値を差し引いた波形（＝解析用心拍信号）を示している。図５（ａ）の右側の波形は、左側の各波形に関する５分間のデータについてフーリエ変換を行った結果、すなわち心拍パワースペクトルを示している。図５（ｂ）の左側の波形は、それぞれ、原波形、１５〜３０Ｈｚの周波数を通過帯域とする帯域通過フィルタによる処理結果（＝心拍信号）、心拍信号の包絡線、包絡線の対数及び移動平均値、解析用心拍信号を示している。図５（ｂ）の右側の波形は、左側の各波形に関する心拍パワースペクトルを示している。
【００５３】
図５（ａ）の上段の例では、分散値、分散値の対数、解析用心拍信号のいずれの場合も、フーリエ変換の結果、０．８５Ｈｚにピークを有する心拍パワースペクトルが得られている。図５（ｂ）の上段の例でも、包絡線、包絡線の対数、解析用心拍信号のいずれの場合も、０．８５Ｈｚにピークを有する心拍パワースペクトルが得られている。この結果から、制御部４２は、心拍数を０．８５×６０＝５１回／分と算出する。
【００５４】
図５（ａ）及び図５（ｂ）の下段の例では、原波形においてアーチファクトが混入している。アーチファクトの一つ一つは数秒程度の短時間の波であるものの、振幅が非常に大きい。帯域通過フィルタによる処理結果（＝心拍信号）の波形で見ると、アーチファクトの方が心拍成分よりもはるかに大きいことが分かる。従って、心拍信号やその分散値又は包絡線の波形に対するフーリエ変換の結果では、心拍数の周波数成分を特定することができない。一方、解析用心拍信号に対するフーリエ変換の結果では、０．８５〜０．９０付近に心拍スペクトルのピークが存在し、心拍周波数に相当する周波数成分が抽出されている。このように、体動等に起因するアーチファクトが数秒程度、かつアーチファクトの前後で心拍成分の振幅に大きな差が無い場合、この実施形態におけるノイズ低減処理によってノイズの低減が可能となり、長時間連続して心拍のモニタリングを解析することができる。
【００５５】
図６は、心拍周波数の計算に必要な時間を示す図である。一般に、周波数解析を行うためには、ある程度の時間が必要である。図６では、心拍パワースペクトルに対する測定時間の影響を示している。図６に示すように、測定時間が短くなるにつれて、心拍周波数に相当する周波数における心拍パワースペクトルのピークが鈍化していくものの、２０秒程度の測定時間を確保できれば、問題なく心拍周波数を特定し、心拍数の算出が可能であることが分かる。
【００５６】
図７は、心音成分の数と振幅がパワースペクトルに及ぼす影響を説明する図である。図７（ａ）は、第１の手法のノイズ低減処理による算出結果、図７（ｂ）は、第２の手法のノイズ低減処理による算出結果を示している。図３のステップＳ２において、１５〜７０Ｈｚの範囲内の周波数を通過帯域とする帯域通過フィルタを用いる場合、フィルタ後の心拍信号は、主としてI音及びII音の心音成分から成る（図４参照）。I音及びII音に相当する振動波形の強弱は被験者によって異なり、I音及びII音の両方が取得できる場合や、どちらか一方の成分しか取得できない場合がある。また、被験者によっては、III音又はIV音等に相当する心音成分が混入する場合もある。
【００５７】
図７（ａ）のＡに示す被験者では、一心拍に伴ってI音及びII音が同等の大きさで取得できている。図７（ａ）のＢに示す被験者ではI音のみ、図７（ａ）のＣに示す被験者ではI音及びII音に加えて、おそらくIII音が取得できている。いずれの被験者においても、解析用心拍信号に対するフーリエ変換によって得られる心拍パワースペクトルでは、心拍周波数に相当する周波数で大きなピークが形成されている。この結果から、本実施の形態における心拍数算出処理は、一心拍中に現れる心音成分の数及び振幅に影響されないことが分かる。
【００５８】
図８は、正常洞調律及び心房細動被験者の解析用心拍信号と心拍パワースペクトルを示す図である。図８（ａ）は、第１の手法のノイズ低減処理による算出結果、図８（ｂ）は、第２の手法のノイズ低減処理による算出結果を示している。心拍が規則的な被験者については、図８（ａ）及び図８（ｂ）のいずれにおいても、心拍周波数に相当する周波数に鋭いピークを持つ心拍パワースペクトルが得られる。一方、心房細動の被験者については、図８（ａ）及び図８（ｂ）のいずれにおいても、ピークが鈍く、平坦な波形を持つ心拍パワースペクトルが得られる。これは、心拍が不規則なため、一定の周波数を有していないことに起因する。
【００５９】
図９は、心拍規則性の評価を説明する図である。図９では、正常洞調律の被験者、心房細動の被験者、就寝中に一過性心房細動が見られる被験者、人工ペースメーカー埋込み患者に対して、就寝中連続して計測を行い、２〜５分ごとの心拍パワースペクトルを算出した時系列データを示している。上段は、横軸に周波数を取り、各経過時間における心拍パワースペクトルの波形を３次元で連続的に図示している。黒く見える部分が心拍パワースペクトルのピークを示している。下段は、ある経過時刻における心拍パワースペクトルの波形を図示している。
【００６０】
正常洞調律の被験者は、心拍周波数に相当する周波数をピークとする心拍パワースペクトルが就寝中継続している。心房細動の被験者は、一定のピークを示すことが無く、幅広い周波数の心拍パワースペクトルが測定中継続している。一過性心房細動の被験者の心拍パワースペクトルは、周波数のピークが断続的に変化している。人工ペースメーカー埋込み患者の心拍パワースペクトルは、心拍は常に一定で、変動が全く見られないことが分かる。このように、本実施の形態において得られる心拍パワースペクトルによって、心拍規則性の評価が可能となる。
【００６１】
図３の説明に戻る。制御部４２は、心拍規則性指標（ＨＢＲＩ：Heart Beat Regularity Index）を算出する（ステップＳ６）。ＨＢＲＩとしては、例えば、心拍パワースペクトルの尖度（ＨＢＫｕｒｔ）あるいは心拍パワースペクトルのピーク周波数における相対的振幅（ＨＢＲＰ）を用いる。
【００６２】
心拍パワースペクトルの尖度（ＨＢＫｕｒｔ）は、心拍パワースペクトルの平均値まわりの４次のモーメントをμ４、標準偏差をσとすると、例えば、β＝μ４／σ４（μ４とσの４乗の比）−３で算出する。
【００６３】
心拍パワースペクトルのピーク周波数における相対的振幅（ＨＢＲＰ）は、ピーク周波数の振幅を心拍パワースペクトルの総和（＝心拍パワースペクトルの曲線下の面積）で割った値ある。
【００６４】
図１０は、ＨＢＫｕｒｔ及びＨＢＲＰによる心拍規則性の評価を説明する図である。図１０では、３人の被験者の就寝中におけるＨＢＫｕｒｔ及びＨＢＲＰの算出結果を示している。ＨＢＫｕｒｔがゼロ以上であれば、規則正しい心拍を示しており、ゼロ未満の場合は不整脈が疑われる。また、ＨＢＲＰが１０％以上であれば、規則正しい心拍を示しており、５％以下の場合は不整脈が疑われる。正常洞調律の被験者は、就寝中常にＨＢＫｕｒｔ＞０及びＨＢＲＰ＞１０の値を示している。一方、心房細動の被験者は、就寝中ほとんどの時間帯でＨＢＫｕｒｔ＜０及びＨＢＲＰが２〜６％の値を示している。就寝中に一過性心房細動が見られる被験者は、心房細動に該当する時間帯において、ＨＢＫｕｒｔ＜０及びＨＢＲＰが２〜６％の値を示している。このように、ＨＢＫｕｒｔ及びＨＢＲＰによって精度良く心拍規則性を数値化できることが分かる。
【００６５】
図３の説明に戻る。制御部４２は、ステップＳ４において生成される心拍パワースペクトルの一部の周波数帯に対して逆フーリエ変換を行い、心拍のゆらぎを示す波形を生成する（ステップＳ７）。
【００６６】
図１１は、自律神経活動の評価を説明する図である。従来の技術では、心拍のゆらぎの解析は、心電図のＲＲ間隔の測定によって行われ、自律神経機能評価又はストレスチェック等に利用されている。本実施の形態では、制御部４２は、３分以上の安定した心拍信号を用いて心拍パワースペクトルを生成することでノイズ部分を除去し、心拍パワースペクトルの中心となる周波数帯に対して逆フーリエ変換を行うことで心拍のタイミングを正確に検出する。これによって、心電図のデータを用いることなく、心拍のゆらぎ解析が可能となる。
【００６７】
図１１に示す例では、制御部４２は、心拍パワースペクトルの中心周波数ｆを算出し、０．５ｆ〜１．５ｆの範囲に対して逆フーリエ変換を行っている。逆フーリエ変換を行う範囲は、この例に限定されるものではなく、被験者によって適宜変更しても良い。
【００６８】
逆フーリエ変換によって得られた波形はスムーズな曲線となり、この曲線の正のピークを示す時間を検出し、ピーク間の間隔を心拍間隔として算出する。こうして求めた、１心拍ごとの心拍間隔から成る時系列波形を用いて、従来の心電図のＲＲ間隔を用いた解析と同様に、高速フーリエ変換によるスペクトル解析を行うことが可能である。心拍変動はストレス負荷や自律神経活動に関連するとされており、図１１に示すように、周波数分析により主に低周波成分（ＬＦ: Low Frequency、０．０４〜０．１５Ｈｚ）と高周波成分（ＨＦ: High Frequency、０．１５〜０．５Ｈｚ）が確認できる。低周波成分は副交感神経活動よりも主に交感神経活動の影響を受け、精神的ストレスによって増加することが知られている。一方、高周波成分は呼吸の影響を受け、副交感神経活動と関係するとされている。また、ＬＦ／ＨＦやＬ／（ＨＦ＋ＬＦ）は交感神経活動の指標として利用されている。本実施の形態によれば、生体センサ２によって得られる心拍信号から心拍間隔を割り出し、心拍変動解析に応用することができる。
【００６９】
以上の通り、生体信号解析装置４は、非接触型の生体センサ２を用いて心拍の生体信号を簡易かつ精度良く解析し、心拍不整の定量的な評価を支援できる。
【００７０】
図１２は、呼吸信号解析処理の流れを示すフローチャートである。生体信号解析装置４の入力部４１は、生体センサ２から得られる電気信号に基づくデジタル信号を入力する（ステップＳ１１）。生体信号解析装置４の制御部４２は、ステップＳ１１において入力されるデジタル信号に対してフィルタ処理を行い、呼吸信号を抽出し（ステップＳ１２）、ステップＳ１２において抽出される呼吸信号に対してノイズ低減処理を行い、解析に用いる呼吸信号（以下、「解析用呼吸信号」と表記する。）を生成する（ステップＳ１３）。
【００７１】
図１３は、呼吸信号解析処理におけるフィルタ処理及びノイズ低減処理を説明する図である。制御部４２は、原波形に対して、０．１〜０．７Ｈｚの範囲内の周波数を通過帯域とする帯域通過フィルタを用いてフィルタ処理を行い、呼吸信号を抽出する。図１３に示す例では、制御部４２は、０．１〜０．７Ｈｚの周波数を通過帯域とする帯域通過フィルタを用いている。
【００７２】
次に、制御部４２は、第１の所定時間間隔で呼吸信号の包絡線を算出し、その包絡線の対数値の波形から、第１の所定時間間隔よりも長い第２の所定時間間隔ごとの移動平均値を差し引いた波形（＝正規化呼吸波形）を算出する。
第２の所定時間間隔ごとの移動平均値は、センサ信号の絶対振幅を反映しており、図１３では途中で体位変換により信号全体が小さくなっている。正規化呼吸波形は、こうした体位変換による呼吸振幅の変化を正規化することができる。ただし、これだけではチェーンストークス型呼吸を呈する被験者においては、周期的呼吸の際の呼吸振幅が過大に補正されてしまうため、第１の所定時間間隔ごとの移動平均から第２の所定時間間隔ごとの移動平均を差し引いた波形で、さらに正規化呼吸波形を除し、これを補正呼吸信号とする。
尚、第１の所定時間間隔ごとの移動平均から第２の所定時間間隔ごとの移動平均を差し引いた波形の絶対値ｆの波形は、呼吸運動の振幅変化を表している。チェーンストークス型呼吸においては、周期的に振幅が変化しているのがわかる。そこで、この波形（以下、「ＣＳ呼吸波形」（＝チェーンストークス型呼吸波形）と表記する。）について、正の部分はゼロ値とし、負の部分について無呼吸か否かの判定を行うために用いる。
【００７３】
図１４は、補正呼吸信号、ＣＳ呼吸波形及び補正呼吸信号＋ＣＳ呼吸波形とそれらのパワースペクトルを示す図である。成人においては、補正呼吸信号ｘのピーク周波数は０．２Ｈｚ付近、ＣＳ呼吸波形ｙのパワースペクトルのピーク周波数は０．０５Ｈｚ以下の値を示すことが多く、補正呼吸信号ｘとＣＳ呼吸波形ｙを加算した波形に対して周波数解析を行うことにより、図１４に示すように、「呼吸の基本周波数」と「呼吸／無呼吸の周期的変動」がひとつのパワースペクトル上に表示される。こうして求めた補正呼吸信号ｘ＋ＣＳ呼吸波形ｙの波形を正規化呼吸波形に加算したものを解析用呼吸信号とし、呼吸解析にはこの信号を用いている。第１の所定時間間隔は５００〜２０００ｍｓの範囲、第２の所定時間間隔は５〜１０ｓの範囲である。無呼吸の判定は、ＣＳ呼吸波形が負の値を示す部分について、(１)持続時間が１０秒以上あり、(２)中心周波数が０．１５〜０．３Ｈｚの範囲外、（３）全パワーがその前後よりも一定値以下（２０〜１００分の１以下）、を満たすものとする。最終的に得られる解析用呼吸信号は、呼吸の周波数成分に加えて呼吸の振幅の変動が含まれる。
【００７４】
図１２の説明に戻る。制御部４２は、ステップＳ１３において生成される解析用呼吸信号に対してフーリエ変換を行い、呼吸運動に関するパワースペクトル（以下、「呼吸パワースペクトル」と表記する。）を生成し（ステップＳ１４）、ステップＳ１４において生成される呼吸パワースペクトルのピークに基づいて、呼吸数を算出する（ステップＳ１５）。
【００７５】
図１５は、解析用呼吸信号と呼吸パワースペクトルを示す図である。上段は通常の規則正しい呼吸、下段はチェーンストークス型呼吸を示している。通常の規則正しい呼吸においては、０．１５〜０．３Ｈｚ付近に鋭いピークを持つ呼吸パワースペクトルが得られる。一方、３０秒〜２分を１周期として換気量が増減するチェーンストークス型呼吸においては、０．１５〜０．３Ｈｚ付近の小さなピークとともに、０．０１〜０．０３Ｈｚ付近に大きなピークを持つ特徴的な呼吸パワースペクトルが得られる。前者の周波数は呼吸周波数、後者の周波数は呼吸振幅増減の周波数を示している。制御部４２は、呼吸周波数を特定し、呼吸数＝呼吸周波数×６０（回／分）の式によって、呼吸数を算出する。
【００７６】
図１６は、呼吸規則性の評価を説明する図である。図１６では、比較的安定した呼吸の被験者と、就寝中チェーンストークス型呼吸が頻発する被験者に対して、就寝中連続して計測を行い、５分ごとの呼吸パワースペクトルを算出した時系列データを示している。上段は、横軸に周波数を取り、各経過時間における呼吸パワースペクトルの波形を３次元で連続的に図示している。黒く見える部分が呼吸パワースペクトルのピークを示している。下段は、ある経過時刻における呼吸パワースペクトルの波形を図示している。
【００７７】
比較的安定した呼吸の被験者は、０．２〜０．３Ｈｚ付近にピークを持つ呼吸パワースペクトルが就寝中継続している。一方、チェーンストークス型呼吸が頻発する被験者は、呼吸／無呼吸の周波数である０．０１Ｈｚ付近にピークを持つ呼吸パワースペクトルが優位になっている。このように、本実施の形態によって得られる呼吸パワースペクトルによって、呼吸規則性の評価が可能となる。
【００７８】
図１２の説明に戻る。制御部４２は、呼吸安定性を評価するための呼吸安定性評価指標として、呼吸リズムの尖度（ＲＫｕｒｔ）及び呼吸振幅不安定性指標（ＲＡＵＳＩ：Respiratory Amplitude UnStability Index）を算出する（ステップＳ１６）。
【００７９】
図１７は、ＲＫｕｒｔ及びＲＡＵＳＩを説明する図である。ＲＫｕｒｔは、図１７に示すように、補正呼吸信号の呼吸パワースペクトルによって特定される呼吸周波数の尖度として算出される。ＲＡＵＳＩは、補正呼吸信号の呼吸パワースペクトルに含まれる呼吸振幅の変動成分のうち、０．０１〜０．０４Ｈｚの周波数帯の総和（＝図１７に示す補正呼吸信号の呼吸パワースペクトルの曲線下の面積Ｓ）として算出される。
【００８０】
図１８は、ＲＫｕｒｔ及びＲＡＵＳＩの算出結果を示す図である。図１８では、２人の被験者の就寝中におけるＲＫｕｒｔ及びＲＡＵＳＩの算出結果を示している。ＲＫｕｒｔは、比較的安定した呼吸の被験者の方が、就寝中、無呼吸が頻発する被験者よりも大きい値を示している。ＲＡＵＳＩは、就寝中、無呼吸が頻発する被験者の方が、比較的安定した呼吸の被験者よりもはるかに大きい値を示している。
【００８１】
図１２の説明に戻る。制御部４２は、無呼吸・低呼吸の検出と、見かけの無呼吸・低呼吸指標（ｅＡＨＩ値：estimated Apnea-Hypopnea Index）を算出する（ステップＳ１７）。
【００８２】
無呼吸の判定は、ＣＳ呼吸波形が負の値を示す部分について、(１)一定値以下（無呼吸閾値）で、（２）持続時間が１０秒以上、を満たすものとする。ｅＡＨＩ値は、１時間あたりの無呼吸の回数を示す値として、睡眠中に１時間ごとの無呼吸数を計算し、その平均値として算出される。
【００８３】
図１９は、無呼吸及び低呼吸の検出を示す図である。図１９の上段は、ポリソムノグラフにおいて中枢性無呼吸と診断された患者の無呼吸と、補正呼吸信号及びＣＳ呼吸波形を示す。低呼吸閾値及び無呼吸閾値よりもＣＳ呼吸波形が小さくなる時間帯を無呼吸と判定している。下段は、閉塞性無呼吸の患者である。上段と同様に、低呼吸及び無呼吸を判定している。それぞれの患者において、ポリソムノグラフにより算出されたＡＨＩ値及び本発明により算出したｅＡＨＩ値を示す。
【００８４】
図２０は、無呼吸閾値及び低呼吸閾値を説明する図である。無呼吸判定のための無呼吸閾値は、被験者のボディマス指数に基づいて決定される。図２０の左グラフは、無呼吸患者５０名において、ボディマス指数と無呼吸検出のための至適閾値との関係を示す。ここで、低呼吸閾値は、０．２３−０．２３／（１＋（２３．３／ＢＭＩ）＾４．１）で計算される。無呼吸閾値は、低呼吸の閾値より０．２を差し引いた値である。図２０の右グラフは、本発明によって求めたｅＡＨＩ値とポリソムノグラフによって算出されたＡＨＩ値との相関を示す。比較的高い相関が得られている。
【００８５】
以上の通り、生体信号解析装置４は、非接触型の生体センサ２を用いて心拍の生体信号を簡易かつ精度良く解析し、心拍不整の定量的な評価を支援できるとともに、呼吸運動の生体信号を簡易かつ精度良く解析し、異常呼吸の定量的な評価を支援できる。
【００８６】
本実施の形態における生体信号解析装置４によれば、非接触型の生体センサ２によって得られる信号を解析することより、以下の評価を行うことができる。
【００８７】
＜心拍の検出及び脈不整の評価＞
不整脈の確定診断は心電図により行われるが、一過性の不整脈を検出するためにはホルター心電計を、場合によっては数日にわたって装着するなど、被験者にとっては必ずしも快適とは言えない。生体信号解析装置４は、心拍の規則性指標、例えば前述のＨＢＲＩを算出し、脈不整の定量的な評価を支援する情報を提供することができる。従って、普段の生活のまま心拍の規則性の評価に用いるデータを得ることができ、簡易的な不整脈のスクリーニングとして用いることができる。とりわけ、慢性不整脈で最も頻度の高い心房細動や発作性頻拍症、伝導障害においては、特徴的なパワースペクトルパターンを示し、早期発見が可能となる。また、既に確定診断がなされた不整脈患者の経過観察あるいは治療効果の確認にも応用できる。
【００８８】
＜呼吸数及び呼吸リズム、無呼吸の評価＞
現在市販あるいは報告されている非接触型の生体センサはいずれも呼吸運動の検出が可能ではあるものの、本実施の形態のように定量的な解析は行われていない。本実施の形態によれば、無呼吸やチェーンストークス型呼吸の検出が可能であり、睡眠時無呼吸症候群（ＳＡＳ）のスクリーニング検査として使用できる。また、前述の心拍信号の解析と組み合わせることで、ＳＡＳと不整脈を同じ測定データで同時に評価することができる。
【００８９】
＜心音解析＞
前述の心拍信号には、心音に相当する波形成分が含まれており、I音、II音のほか、III音、IV音といった異常心音の検出が可能である。
【００９０】
＜自律神経機能評価＞
前述の心拍信号の解析によって得られた心拍間隔を用いて心拍間隔変動のスペクトル解析が可能である。通常、心拍間隔変動は心電図のＲＲ間隔を用いて行われるが、心拍信号を用いることにより、簡易な自律神経機能評価が可能となる。
【００９１】
＜睡眠状態の評価＞
睡眠中の体動、心拍、呼吸の経時的変化を解析することにより、睡眠の質評価を行うことができる。
【００９２】
以上に説明してきた生体信号解析装置とともに用いるのに好適な生体センサについて説明する。図２１に、生体センサ２の断面を模式的に示す。図２１の左右方向が、生体センサ２の長辺方向であり、図２１の上部側に被験者が臥床する。図２１（ａ）は、外部から力が加えられていない状態であり、図２１（ｂ）は、中央部付近に上部から力が加えられた状態である。
【００９３】
振動伝達板であるポリカーボネート製プレート２１の下側に、圧電フィルムであるＰＶＤＦ製フィルム２２が接着され、熱収縮チューブ２３で覆われている。ＰＶＤＦ製フィルムは、簡単のため図示していないが、上下に電極が銀スクリーン印刷などで設けられており、応力による歪により、上下の電極間に電荷を発生する特性を持つ。ポリカーボネート製プレート２１は、上部からの振動をＰＶＤＦ製フィルム２２に伝達する役割を果たす。ポリカーボネート製プレート２１は、ＰＶＤＦ製フィルム２２や熱収縮チューブ２３よりも弾性率が高い。図２１（ｂ）に示すように、上部から力が加わると、図２１の生体センサ２は、ポリカーボネート製プレート２１を中心としてしなる。その結果、ＰＶＤＦ製フィルム２２には、膜厚方向に圧縮応力が加わるとともに、長辺方向に大きな引張応力が加わり、ＰＶＤＦ製フィルム２２が発生する電荷量が大きくなる。すなわち、応答速度が早く広い周波数特性を持つＰＶＤＦ製フィルムを、高感度化している。
【００９４】
上述のように、本発明による生体信号解析処理では、ノイズ低減処理が行われるが、高度な解析を行うため、生体信号から得られる信号が十分に精度が高いことが望まれる。図２１のような構造の生体センサ２を用いることで、信頼度の高い解析結果が得られる。
【００９５】
この生体センサ２は、被験者の上半身の下に配置することが望ましい。図１の説明では、厚さ１ｍｍ×縦２５ｃｍ×横３ｃｍを、ポリカーボネート製プレート２１の寸法例として上げたが、例えば、横幅９０ｃｍのベッド用に、縦７０ｃｍ×横４ｃｍのポリカーボネート製プレート２１のように、長い生体センサ２にすることもできる。このときのポリカーボネート製プレート２１の厚さは、製造が容易で、局所的にではなく全体的にしなるような４ｍｍ程度にするのが良い。また、ＰＶＤＦ製フィルム２２の寸法は、例えば、縦１５ｃｍ×横２ｃｍにして、ポリカーボネート製プレートの中央部に接着する。
【００９６】
以上、添付図面を参照しながら、本発明に係る生体信号解析装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９７】
１………生体信号解析システム
２………生体センサ
３………生体信号出力装置
４………生体信号解析装置
５………ベッド
【図１】
2018011948.tif 000003
【図２】
2018011948.tif 000004
【図３】
2018011948.tif 000005
【図４】
2018011948.tif 000006
【図５】
2018011948.tif 000007
【図６】
2018011948.tif 000008
【図７】
2018011948.tif 000009
【図８】
2018011948.tif 000010
【図９】
2018011948.tif 000011
【図１０】
2018011948.tif 000012
【図１１】
2018011948.tif 000013
【図１２】
2018011948.tif 000014
【図１３】
2018011948.tif 000015
【図１４】
2018011948.tif 000016
【図１５】
2018011948.tif 000017
【図１６】
2018011948.tif 000018
【図１７】
2018011948.tif 000019
【図１８】
2018011948.tif 000020
【図１９】
2018011948.tif 000021
【図２０】
2018011948.tif 000022
【図２１】
2018011948.tif 000023